(57)【特許請求の範囲】
【請求項１】
ロープの先端にフックが装着された前記フック側のロープ端部に、前記ロープ及び前記フックを金属部材に固定する固定具を有する安全帯であり、
前記安全帯が、柱上安全帯であり、
前記金属部材が、電柱に取付けられた装柱金物であり、
前記固定具は、前記金属部材に吸着し前記ロープ及び前記フックを前記金属部材に固定する磁石を備えることを特徴とする安全帯。
【請求項２】
前記磁石は、前記金属部材に吸着し前記ロープ及び前記フックを前記金属部材に吊り下げ可能な吸着力を備えることを特徴とする請求項１に記載の安全帯。
【請求項３】
前記固定具が、着脱手段を介して前記ロープ端部に着脱可能に取付けられていることを特徴とする請求項１又は請求項２に記載の安全帯。
【請求項４】
前記固定具は、磁石と前記磁石を支持する支持体とを含み、
前記固定具は、前記支持体を介して前記ロープ端部に取付けられていることを特徴とする請求項１から請求項３のいずれか１項に記載の安全帯。
【請求項５】
前記支持体は、塑性材からなることを特徴とする請求項４に記載の安全帯。
【請求項６】
前記フックを前記ロープ端部に連結する連結具を有し、
前記連結具が磁石からなり、
前記ロープ端部に前記固定具を有しておらず、前記連結具が前記固定具の代替物であることを特徴とする請求項１又は請求項２に記載の安全帯。
【発明の詳細な説明】
【技術分野】
【０００１】
本発明は、安全帯に関する。
【背景技術】
【０００２】
Ｕ字つり作業を行う際に使用する従来の一般的な柱上安全帯は、胴ベルトと、胴ベルトにベルト押えを介して連結する補助ベルトと、角環（Ｖ角環）を介して補助ベルトに連結するランヤードとを備える。ランヤードは、ロープと、ロープの長さを調節可能な伸縮調節器とを有し、ロープの先端にはフックが設けられている。作業者は、腰に胴ベルトを取付け、ロープを電柱に回し掛け、ロープの先端のフックを補助ベルトに取付けられた環状金具（Ｄ環）に固定することで、安全帯で自分の体を支えることができる。
【０００３】
安全帯は、安全性に優れることは当然であるが、高所作業者が使用するものであるから使い易く作業し易い物が好ましい。これまでにも作業し易い柱上安全帯が幾つか提案されている。
【０００４】
例えば、胴綱（ロープ）のフックを容易に取付けることができる環状金具（Ｄ環）を備える柱上安全帯（例えば特許文献１参照）、専用の工具吊りベルトを設けることで、外締ベルトによる腹部の締付けを防止した柱上安全帯（例えば特許文献２参照）、フックを環状金具に係止させる際に、外締めベルトの先端余長分が邪魔になるとし、外締めベルトの先端余長分の収まりをよくした柱上安全帯がある（例えば特許文献３参照）。
【先行技術文献】
【特許文献】
【０００５】
【特許文献１】特開２００７−１１１３５３号公報
【特許文献２】実開平６−５８９５７号公報
【特許文献３】実開平７−１５０５８号公報
【発明の概要】
【発明が解決しようとする課題】
【０００６】
柱上安全帯を使い易く、あるいは作業し易くすることは、結果的に安全性の向上にもつながるため特許文献１等に示される柱上安全帯は、好ましい安全帯といえる。しかながら従来の柱上安全帯に対しては、以下のような課題もあり、さらなる改良が望まれている。
【０００７】
図１１は、従来の柱上安全帯１０１を装着した作業員２０１が、電柱３０１上で移動するためにロープ３２の掛け換えを行っている様子を示す図である。ロープ３２の掛け換えには、フック３５を環状金具（Ｄ環）２６から外す必要があるが、Ｄ環２６からフック３５を外すと、図１１に見られるようにフック３５を下にしてロープ３２が垂れ下がった状態となる。このため作業者２０１は、一方の手２０２と足２０５とで身体を支え、空いた方の手２０３でフック３５を手繰り寄せる必要があるが、これら動作は、電柱３０１上でかつ不自由な姿勢で行う必要があるため危険が伴う。
【０００８】
本発明の目的は、使い易く作業を安全に行える安全帯を提供することである。
【課題を解決するための手段】
【０００９】
本発明は、ロープの先端にフックが装着された前記フック側のロープ端部に、前記ロープ及び前記フックを金属部材に固定する固定具を有する安全帯であり、前記安全帯が、柱上安全帯であり、前記金属部材が、電柱に取付けられた装柱金物であり、前記固定具は、前記金属部材に吸着し前記ロープ及び前記フックを前記金属部材に固定する磁石を備えることを特徴とする安全帯である。
【００１０】
本発明に係る安全帯は、フック側のロープ端部に磁石を備える固定具を有し、これを介してロープ及びフックを金属部材に固定することができるので、ロープを掛け換えるときロープの先端部側が垂れ下がらず、またフックを手元付近に置くことができる。このため使い易く作業を安全に行うことができる。
【００１１】
本発明の安全帯において、前記磁石は、前記金属部材に吸着し前記ロープ及び前記フックを前記金属部材に吊り下げ可能な吸着力を備えることを特徴とする。
【００１２】
本発明によれば、固定具は、ロープ及びフックを金属部材に吊り下げ可能な吸着力を有する磁石を備えるので、例えば、固定具を電柱に取付けられた足場ボルトの下面に吸着させ、この状態でロープ及びフックを吊り下げた状態とすることができる。このような安全帯は、安定した作業姿勢かつ楽な姿勢でロープの掛け換えが行え、昇降柱作業等を安全に行うことができる。
【００１４】
本発明の安全帯は、幅広い安全帯に使用することができるが、ロープの掛け換えが容易であるので、柱上安全帯に使用すれば電柱上での作業を安全に行うことができる。
【００１５】
また本発明の安全帯において、前記固定具が、着脱手段を介して前記ロープ端部に着脱可能に取付けられていることを特徴とする。
【００１６】
また本発明の安全帯において、前記固定具は、磁石と前記磁石を支持する支持体とを含み、前記固定具は、前記支持体を介して前記ロープ端部に取付けられていることを特徴とする。
【００１７】
本発明の安全帯は、安全帯を製造する段階でロープ端部に磁石を埋め込み、あるいは取付けこれを固定具とすることも可能である。一方で、固定具をロープに着脱可能とすれば、既存の安全帯を容易に本発明の安全帯に改造することができる。特に、固定具を磁石と磁石を支持する支持体とで構成し、固定具を支持体を介してロープに取付けるようにすれば、取付けも容易であり既存の安全帯を簡単に本発明の安全帯に改造することができる。
【００１８】
また本発明の安全帯において、前記支持体は、塑性材からなることを特徴とする。
【００１９】
固定具を磁石と磁石を支持する支持体とで構成する場合に、支持体に塑性材を使用すれば、吸着先である金属部材の形態に合わせて固定具の形態を変更することができる。このような固定具は、金属部材との接触面積を増加させることが容易であり、ロープ及びフックを金属部材に確実に固定することができる。
【００２０】
また本発明の安全帯は、前記フックを前記ロープ端部に連結する連結具を有し、前記連結具が磁石からなり、前記ロープ端部に前記固定具を有しておらず、前記連結具が前記固定具の代替物であることを特徴とする。
【００２１】
ロープ端部に固定具を設ける代わりに、フックとロープとを連結する連結具を磁石とし、これを固定具とすることでも使い易く作業を安全に行える安全帯が得られる。
【発明の効果】
【００２４】
本発明によれば、使い易く作業を安全に行える安全帯を提供することができる。
【図面の簡単な説明】
【００２５】
【図１】本発明の第１実施形態の安全帯１の外観図である。
【図２】図１のロープ３２の先端部廻りの拡大図である。
【図３】図１の安全帯１を足場ボルトに３０２に固定した状態を示す図である。
【図４】図１の安全帯１の使用例を示す図である。
【図５】本発明の第２実施形態の安全帯２のロープ３２の先端部廻りの外観図である。
【図６】本発明の第３実施形態の安全帯３のロープ３２の先端部廻りの外観図及び安全帯３に取付けられる固定具４３の斜視図である。
【図７】本発明の第４実施形態の安全帯４のロープ３２の先端部廻りの外観図及び安全帯４に取付けられる固定具４４の斜視図である。
【図８】本発明の第５実施形態の安全帯５のロープ３２の先端部廻りの外観図及び安全帯５に取付けられる固定具４５の斜視図である。
【図９】本発明の第６実施形態の安全帯に取付けられる固定具４６の斜視図である。
【図１０】本発明の第７実施形態の安全帯７のロープ３２の先端部廻りの外観図である。
【図１１】従来の柱上安全帯１０１の使用例を示す図である。
【発明を実施するための形態】
【００２６】
図１は、本発明の第１実施形態の安全帯１の外観図であり、図２中（ａ）は、図１のロープ３２の先端部廻りの拡大図、（ｂ）は、固定具４１を取付ける前のロープ３２の先端部廻りの拡大図である。図３は、第１実施形態の安全帯１を電柱３０１に取付けられた足場ボルト３０２に固定した状態を示す図、図４は、安全帯１の使用例を示す図である。
【００２７】
安全帯１は、Ｕ字つり作業が可能な柱上安全帯であり、胴ベルト１１と胴ベルト１１にベルト押え１５を介して連結する補助ベルト２１及び角環（Ｖ角環）２５を介して補助ベルト２１に連結するランヤード３１とを備える。
【００２８】
胴ベルト１１は、細長い帯状のベルトであり、一端部にバックル１２、バックル１２の近傍にベルト通し１３を有し、他端部には先端金具１４が取付けられている。胴ベルト１１は、補助ベルト２１に取付けられたベルト押え１５に挿通され、ベルト押え１５を介して補助ベルト２１と連結する。
【００２９】
補助ベルト２１は、胴ベルト１１に比べて幅が広く、長さが短い帯状のベルトであり、胴ベルト１１のバックル１２側の端部にランヤード３１の伸縮調節器３７を固定するための角環（Ｖ角環）２５が取付けられ、他端部に２つのＤ環２６が取付けられている。
【００３０】
ランヤード３１は、ロープ３２と、ロープ３２の先端に取付けられたフック３５と、ロープ３２を伸縮自在に保持する伸縮調節器３７とを含む。ロープ３２は、先端部にさつま編み部３３が設けられ、さつま編み部３３の先端側にフック３５を連結させるためのシンブル３４が設けられている。さつま編み部３３には、固定具４１が取付けられている。この固定具４１が本安全帯１の特徴部分であり、この点については、後述する。
【００３１】
フック３５は、基端部に連結具３６を有し、当該連結具３６がシンブル３４に係止する。伸縮調節器３７は、角環（Ｖ角環）２５に係止する連結具３８を備え、当該連結具３８を角環（Ｖ角環）２５に係止する。
【００３２】
以上からなる安全帯１において、ロープ３２の先端部であるさつま編み部３３に取付けられた固定具４１を除いた他の構成は、公知の柱上安全帯と変わるところはない。換言すれば、本安全帯１は、公知の柱上安全帯のロープの先端部に固定具４１を取付けてなる柱上安全帯ということができる。
【００３３】
本安全帯１の特徴である固定具４１は、後述の使用例で示すように安全帯１を使用する際にロープ３２及びフック３５を、電柱３０１に取付けられた足場ボルト３０２等の装柱金具に固定するための部材である。
【００３４】
固定具４１は、平板状の同一形状の６枚の磁石（磁石片）５１からなり、当該磁石片５１が、さつま編み部３３上に直接、隙間なく六角形に配置され、両端部にビニールテープ５２が巻き付けられロープ３２に固定されている。本実施形態では、ロープ３２に固定された固定具４１の断面形状が６角形となっているが、断面形状は、特定の形状に限定されるものではなく、３角形、４角形、８角形などの多角形、円、弓形等であってもよい。また断面形状が多角形の場合、正多角形でなくてもよい。
【００３５】
固定具４１は、本安全帯１を使用する際に、電柱３０１に取付けられた足場ボルト３０２、腕金等の金属部材に吸着することで、ロープ３２及びフック３５を足場ボルト３０２等に仮固定するための部材である（図３、図４参照）。金属部材への吸着力は、磁石５１の磁力及び吸着先である金属部材との接触面積に比例する。吸着先は平面であることが多いので、平面部の大きい固定具４１を使用すれば磁力の小さい磁石５１を使用することも可能であり、磁石５１の選択肢が広がる。
【００３６】
吸着先である金属部材への接触面積を大きくする点からは、固定具４１の断面形状は、六角形よりも四角形の方がよいが、さつま編み部３３は断面形状がほぼ円であるので、固定具４１の断面形状を４角形とすると六角形の固定具４１よりも角の突出量が大きくなり、他の物に引掛り易くなる。固定具４１の断面形状を４角形とする場合には、角を面取りするのが好ましい。
【００３７】
固定具４１の大きさ（寸法）については、固定具４１の断面積を大きくし、また長くするほど吸着先である金属部材への接触面積を大きくすることができるが、ロープ３２からの突出量が大きくなり、他の物に引掛り易くなる。本実施形態では、固定具４１の長さをさつま編み部３３と略同一としているが、固定具４１の長さは、特に限定されるものではなく、さつま編み部３３よりも短くても、逆に長くてもよい。
【００３８】
固定具４１の厚さも特に限定されるものではないが、不必要に厚くすると固定具４１が重くなり、これを取付けたロープ３２が重くなり作業性及び使い勝手が悪くなる。この点は、固定具４１の長さについてもいえることである。
【００３９】
磁石５１の種類は、特に限定されるものではなく、アルニコ磁石、フェライト磁石、ネオジウム磁石、サマコバ磁石等の希土類磁石を使用可能である。また磁石粉末と合成ゴム又は磁石粉末と合成樹脂とを混合して成形されたゴム磁石、プラスチック磁石等を使用することもできる。
【００４０】
磁石５１の磁力は高いものが好ましく、磁石５１は使用態様を考えれば、図３及び図４に示すように電柱３０１に取付けられた足場ボルト３０２等の下面に吸着し、この状態でロープ３２及びフック３５を吊り下げた状態とすることができるものがよい。磁石５１の金属部材に対する吸着力は、磁石５１の磁力（磁力特性）に比例するため高い磁力を有する磁石を使用すれば、吸着先である金属部材が小さくてもロープ３２及びフック３５を固定することができる。また磁石５１の小型化、軽量化にもつながり、固定具４１の形状の自由度も大きくなる。
【００４１】
本安全帯１は、固定具４１を既存のランヤード３１に対して後から取付け可能に（以下、後付けタイプと記す）、磁石５１を複数の磁石片５１で構成するが、ランヤード３１を製造する段階であれば、一体型の磁石を使用することができる。
【００４２】
磁石５１のさつま編み部３３への固定方法は、ビニールテープ５２の他、ガムテーム、セロハンテープなどの粘着テープを使用してもよい。粘着テープ以外の固定手段としては、接着剤、針金、紐、バンド、圧着等があり、固定具４１の形態等に応じて適宜選択して使用すればよい。圧着とは、さつま編み部３３の外径よりも僅かに小さい径を有する固定具を用い、さつま編み部３３を覆うように設置し、さつま編み部３３の弾力性を使用して固定具を固定する方法である。
【００４３】
固定具４１のロープ３２に対する取付け位置は、安全帯１の使用態様から考えればフック３５に近い位置が好ましく、ロープの先端部であるさつま編み部３３は好ましい位置である。安全帯１の使用時におけるロープ３２の掛け換えは、フック３５をＤ環２６から外すことから行われるため、手に持ったフック３５の直ぐ傍を金属部材に固定することができれば作業し易くなる（図４参照）。
【００４４】
また、さつま編み部３３は、ロープ３２の他の部分（本体部分）に比較して太いため（図２（ｂ）参照）、この部分に固定具４１を取付けると、固定具４１の面積を大きくすることができる。さつま編み部３３は、元々曲がり難い部分であるので、この部分に固定具４１を取付けてもロープ３２の機能に大きく影響を与えることはない。これらの点からもさつま編み部３３は、固定具４１の好ましい取付け位置といえる。
【００４５】
本安全帯１の使用方法は、従来の柱上安全帯１０１と基本的に同じである。但し、本安全帯１は、ロープの先端部であるさつま編み部３３に固定具４１が取付けられているので、次に示すようにこの固定具４１を利用することで楽にまた安全に作業を行うことができる。
【００４６】
図３は、固定具４１が電柱３０１に取付けられた足場ボルト３０２の下面に吸着し、ロープ３２及びフック３５が吊り下げられた状態を示す。図４は、固定具４１を電柱３０１に取付けられた装柱バンド３０３に吸着させた状態を示す。これらから分かるように電柱３０１上の作業において、ロープ３２の掛け換え時にロープの先端部３３が垂れ下がらず、またフック３５を手元付近に置くことができる。
【００４７】
このように固定具４１を利用することでロープ３２及びフック３５を足場ボルト３０２、装柱バンド３０３等に一時的に固定（仮固定）することができ、安定した作業姿勢かつ楽な姿勢でロープ３２の掛け換えが行える。これにより作業時間の短縮、さらには作業者の疲労軽減にもつながる。以上のように安全帯１は、使い易い安全帯であり、また昇降柱作業等を安全に行うことができる。
【００４８】
上記のように本安全帯１に取付けられた固定具４１は、電柱３０１に取付けられた足場ボルト３０２、装柱バンド３０３等の金属部材に吸着し、ロープ３２及びフック３５を仮固定させるものであるから、磁石５１は、金属部材に吸着した状態でロープ３２及びフック３５を支持できる吸着力が必要なことは当然である。一方で、磁石５１の吸着力を必要以上に大きくすると、不意に金属部材に吸着するため不安全である。また金属部材に吸着した固定具４１の取り外しが難しくなる。
【００４９】
本安全帯１に取付けられた固定具４１の吸着先は、特に限定されるものではない。電柱３０１の昇降柱作業において本安全帯１を使用するような場合には、装柱金物を固定具４１の吸着先とすることができる。ここで装柱金物は、電柱３０１に取付けられた金属製の金物をいい、腕金、ケーブル金物、アームタイなどの腕金類、装柱バンド３０３などのバンド類、ストラップなどの電線類支持金物類、高圧カットアウトのような機器を支持する金具、足場ボルト３０２、足場金物、作業用足場などの足場、変圧器取付金物などの柱上機器用金物などが挙げられる。
【００５０】
図５は、本発明の第２実施形態の安全帯２のロープ３２の先端部廻りの外観図である。図１から図４に示す本発明の第１実施形態の安全帯１と同一の構成には、同一の符号を付して説明を省略する。なお、第２から第７実施形態に示す安全帯は、ロープの先端部３３に取付けられる固定具及び／又は固定具のロープ３２への固定要領を除き、胴ベルト１１、補助ベルト２１及びランヤード３１等の構成は、第１実施形態の安全帯１と同一であるので記載を省略する。
【００５１】
安全帯２の構成は、第１実施形態の安全帯１と同一であり、ロープの先端部であるさつま編み部３３に固定具４２を備えるが、固定具４２の形態及び固定具４２のロープ３２に対する固定方法が異なる。
【００５２】
固定具４２は、４枚の短冊状の磁石片５１が、さつま編み部３３上に直接、接するように配置され、接着剤５３を介してロープ３２に固定されている。４枚の磁石片５１は、同一の形状からなり、固定具４２の断面は正方形であり、磁石片５１とロープ３２との隙間には、接着剤５３が充填されている。磁石片５１のロープ３２への固定方法は、安全帯１と同様に、粘着テープを使用してもよい。固定具４２の吸着力の大きさ、寸法、重量等は、第１実施形態の固定具４１と同じように考えればよく、この点に関しては、他の実施形態に示す固定具についても同じである。
【００５３】
安全帯２の使用方法及び作用効果は、安全帯１と同一である。安全帯２と安全帯１とを比較すると、安全帯２は一枚の磁石片５１の幅が広い。このため吸着先である金属部材との接触面積を大きくすることができる。一方でロープ３２外周面からの突出量が大きい。
【００５４】
さつま編み部３３は、ロープ３２に比較して径が大きいため、図５に見られるようにさつま編み部３３を覆う固定具４２とロープ３２との間に段差が生じ易い。このような段差は、物に引っ掛り易いので、この部分に粘着テープを巻付け、あるいはキャップを被せ、あるいは他の方法で段差を無くすようにするのがよい。これについては、他の実施形態に示す固定具についても同じである。
【００５５】
図６は、本発明の第３実施形態の安全帯３のロープ３２の先端部廻りの外観図及び安全帯３に取付けられる固定具４３の斜視図である。図１から図４に示す第１実施形態の安全帯１と同一の構成には、同一の符号を付して説明を省略する。
【００５６】
安全帯３の構成は、第１実施形態の安全帯１と同一であり、ロープの先端部であるさつま編み部３３に固定具４３を備えるが、固定具４３の形態及び固定具４３のロープ３２に対する固定方法が異なる。
【００５７】
固定具４３は、半割れパイプ状の２つの磁石片６１ａ、６１ｂを有し、２つの磁石片６１ａ、６１ｂの一方の長辺がヒンジ６２を介して回動自在に連結されている。磁石片６１ａの他方に長辺には凸部６３が、磁石片６１ｂの他方に長辺には、磁石片６１ａの凸部６３が嵌り込む凹部６４が設けられている。さらに磁石片６１ａ及び磁石片６１ｂには、磁石片６１ａの凸部６３を磁石片６１ｂの凹部６４に嵌め込んだ状態で、これらを結合するための貫通孔６５が設けられている。
【００５８】
固定具４３の大きさは、２つの磁石片６１ａ、６１ｂを閉じたとき内側に形成される円筒状の空間の直径（内径）が、さつま編み部３３の直径（外径）よりも僅かに小さくなるように設定されている。固定具４３の長さは、さつま編み部３３の長さと略同一である。
【００５９】
固定具４３のロープ３２への固定要領について説明する。ここでは固定具４３の固定に圧着を利用する。さつま編み部３３を覆うように固定具４３を被せ、磁石片６１ａの凸部６３が磁石片６１ｂの凹部６４に完全に嵌り込むように力を加える。固定具４３の内径は、さつま編み部３３の外径よりも僅かに小さいが、さつま編み部３３は弾力性を有するので、外部から力を加えることで僅かに縮径する。この状態で貫通孔６５に固定ねじ６７を挿通し、ナット止めする。固定具４３に固定ねじ６７を取付けると、さつま編み部３３の弾力性により、固定具４３とロープ３２とが密着し、固定具４３がロープ３２にしっかりと固定される。本実施形態の固定具４３においては、磁石片６１ａ、６１ｂに設けられた貫通孔６５と固定ねじ６７とが着脱手段に該当する。
【００６０】
安全帯３の使用方法及び作用効果は、安全帯１と同一である。本安全帯３に取付けられる固定具４３は、２つの磁石片６１ａ、６１ｂがヒンジ６２で連結され一体化され、さらにロープ３２に対する固定方法も簡単であるので、後付けタイプの固定具として既存の安全帯に簡単に取付け使用することができる。本実施形態の固定具４３は、円筒パイプ状であるが、六角パイプ状、あるいは外面が六角柱状で内面が円筒パイプ等でもよく、これらも本固定具４３と同じ要領でロープ３２に固定することができる。
【００６１】
図７は、本発明の第４実施形態の安全帯４のロープ３２の先端部廻りの外観図及び安全帯４に取付けられる固定具４４の斜視図である。図１から図４に示す第１実施形態の安全帯１と同一の構成には、同一の符号を付して説明を省略する。
【００６２】
安全帯４の構成は、第１実施形態の安全帯１と同一であり、ロープの先端部であるさつま編み部３３に固定具４４を備えるが、固定具４４の形態及び固定具４４のロープ３２に対する固定方法が異なる。
【００６３】
固定具４４は、柔軟性を有するテープ状のプラスチック磁石７１であり、裏面に両面テープ７２が取付けられている。ロープ３２には、テープを巻き付ける要領で取付けられ、両面テープ７２を介してロープ３２に固定される。ロープ３２に取付けた固定具４４が外れないように両サイドをテープ、紐、バンド等で固定してもよく、接着剤でロープ３２に固定してもよい。
【００６４】
安全帯４の使用方法及び作用効果は、安全帯１と同一である。本安全帯４は、固定具４４に柔軟性を有するテープ状のプラスチック磁石７１を使用するので、後付けタイプの固定具として既存の安全帯に対しても簡単に取付け使用することができる。テープ状のプラスチック磁石７１に代えて、シート状のプラスチック磁石、テープ状のゴム磁石、シート状のゴム磁石を使用してもよい。
【００６５】
図８は、本発明の第５実施形態の安全帯５のロープ３２の先端部廻りの外観図及び安全帯５に取付けられる固定具４５の斜視図である。図１から図４に示す第１実施形態の安全帯１と同一の構成には、同一の符号を付して説明を省略する。
【００６６】
安全帯５の構成は、第１実施形態の安全帯１と同一であり、ロープの先端部であるさつま編み部３３に固定具４５を備えるが、固定具４５の形態及び固定具４５のロープ３２に対する固定方法が異なる。
【００６７】
固定具４５は、複数枚の短冊状の磁石片５１を備える点では、第１実施形態の固定具４１と同じであるが、固定具４５は、１３枚の磁石片５１の他に支持体８１を備える。支持体８１は、磁石片５１を支持する部材であり、柔軟性を有する板状部材である。支持体８１は、幅Ｗ０がロープの先端部のさつま編み部３３の長さと略同一であり、長さＬ０がさつま編み部３３の外周と同一に設定されている。磁石片５１は、長さＬ１が支持体８１の幅Ｗ０よりも狭く、支持体８１上に並べて接着されている。
【００６８】
固定具４５のロープ３２への固定要領について説明する。さつま編み部３３に固定具４５を巻き付け、支持体８１の両側の余白部８２の上を紐５５で固定する。本実施形態の固定具４５においては、支持体８１を固定する紐５５が着脱手段に該当する。紐５５に代えて、粘着テープ、針金、バンドで固定してもよく、接着剤で支持体８１をロープ３２に接着、固定してもよい。
【００６９】
安全帯５の使用方法及び作用効果は、安全帯１と同一である。本安全帯５は、複数枚の磁石片５１、本実施形態では１３枚の短冊状の磁石片５１が予め支持体８１に固定されているので、既存の安全帯に対しても簡単に取付け使用することができる。本実施形態の固定具４５も後付けタイプの固定具として利用することができる。なお、磁石片５１の枚数は特に限定されるものではない。
【００７０】
図９は、本発明の第６実施形態の安全帯に取付けられる固定具４６の斜視図である。図１から図４に示す第１実施形態の安全帯１と同一の構成には、同一の符号を付して説明を省略する。
【００７１】
第６実施形態の安全帯の構成は、第１実施形態の安全帯１と同一であり、ロープの先端部であるさつま編み部３３に固定具４６を備えるが、固定具４６の構造が異なる。
【００７２】
固定具４６は、第５実施形態の固定具４５と同様に、複数の磁石片８７と支持体８４とを備え、支持体８４上に複数の磁石片８７が接着されている。支持体８４は、塑性材であり、柔軟性を有する合成樹脂製の袋８６の内部に塑性材８５が充填されてなる。塑性材８５は、粘土のような素材からなり、支持体８４に対して部分的に荷重を加えるとその部分が凹み、荷重を取り去った後もその凹みはその状態で保持される。支持体８４は、手で少し力を加える程度で変形するものが使い勝手がよい。
【００７３】
ロープ３２に取付ける前の支持体８４の基本形状は、厚さのある長方体である。支持体８４の厚さは、第４実施形態の支持体８１に比較して厚くなっている。
【００７４】
磁石片８７は、これまで示した短冊状の磁石片５１と異なり、一辺が２〜３ｍｍ程度の矩形の小片からなり、これらが支持体８４の上面に並べて接着されている。隣り合う磁石片８７の間にはほんの僅かな隙間８８が設けられている。ここで磁石片８７に小片を使用し、隣り合う磁石片８７との間にほんの僅かな隙間８８が設けられるのは、固定具４６に外部から荷重が加えられたとき、磁石８７を支持体８４と一体的に変形させるためである。磁石片８７は、一辺が数ｍｍ程度の矩形の物に限定されるものではないが、小さい程、固定具４６の変形の自由度が高くなる。
【００７５】
図９（ａ）は、ロープの先端部であるさつま編み部３３（図示省略）に固定具４６を取付け、固定具４６の上面中央部に短手方向に平行に丸棒（図示省略）を押付け凹み８９を付けたものである。図９（ｂ）は、ロープの先端部であるさつま編み部３３（図示省略）に固定具４６を取付け、固定具４６の正面（図の手前側）を壁に押付け平坦部９０を設けたものである。
【００７６】
固定具４６は、柔軟性を有するのでさつま編み部３３に巻き付け、接着剤により支持体８４の裏面９１がさつま編み部３３に固定される。なお、固定具４６のさつま編み部３３への固定方法は、接着剤以外の方法であってもよい。
【００７７】
固定具４６がロープの先端部３３に取付けられた第６実施形態の安全帯の使用方法及び作用効果は、安全帯１と同一である。本実施形態の固定具４６も後付けタイプの固定具として利用することができる。第６実施形態の安全帯は、固定具４６の形状を変更可能なために、吸着先である金属部材の形状に合わせて固定具４６を変形させることができる。この結果、固定具４６と吸着先である金属部材との接触面積が増加し、磁力の小さい磁石８７でも金属部材にロープ３２及びフック３５を固定することができる。
【００７８】
図１０は、本発明の第７実施形態の安全帯７のロープ３２の先端部廻りの外観図である。図１から図４に示す第１実施形態に示す安全帯１と同一の構成には、同一の符号を付して説明を省略する。
【００７９】
安全帯７の基本構成は、第１実施形態の安全帯１と同一であるが、固定具４７の形態及び固定具４７の取付け位置が異なる。先に示した第１〜第６実施形態の安全帯は、いずれもロープの先端部であるさつま編み部３３に、さつま編み部３３を覆うように固定具４１〜４６が取付けられているが、本安全帯７は、さつま編み部３３に固定具を有していない。本安全帯７は、ロープの先端部３３に固定具を取付ける代わりに、フック３５をロープ３２に連結する連結具４７が磁化され磁石となっており、これが固定具４７として機能すする。
【００８０】
連結具４７は、Ｕ字の金属製の棒材９５の基端部が円盤状部材９６で連結され、円盤状部材９６がフック３５に回転自在に連結する。連結具４７は、磁化され磁石となっており金属部材に吸着することができる。連結具４７は、第１実施形態の安全帯１等で使用される連結具３６に比較すると大きい。これは吸着先である金属部材との接触を容易にし、接触面積を確保するためである。磁化した連結具４７を使用する代わりに、フックの連結具とロープ３２との間に磁石を取付けてもよい。
【００８１】
安全帯７の使用方法及び作用効果は、安全帯１と同一である。第７実施形態の安全帯７は、磁石からなる連結具４７を使用し、これを金属部材にロープ３２及びフック３５を固定する固定具４７とするので、構造が単純であり既存の安全帯にも容易に適用することができる。
【００８２】
以上、第１から第７実施形態の安全帯及びそれに用いられる固定具を用いて、本発明に係る安全帯及び固定具を説明したが、本発明に係る安全帯及び固定具は上記実施形態に限定されるものではなく、要旨を変更しない範囲で変更して使用することができる。
【００８３】
上記実施形態では、ロープの先端部に固定具を取り付けるが、必要であれば固定具をロープの先端部と、さらにロープの中間部とに取付けてもよい。また上記実施形態では、安全帯として柱上安全帯を示したが、本発明に係る安全帯は一本つり用の安全帯、一本つり・Ｕ字つり兼用の安全帯にも適用可能であり、胴ベルトタイプの安全帯のほか、ハーネス型の安全帯にも適用することができる。
【００８４】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００８５】
１、２、３、４、５、７  安全帯
１１  胴ベルト
２１  補助ベルト
２５  角環（Ｖ角環）
２６  Ｄ環
３１  ランヤード
３２  ロープ
３３  さつま編み部（ロープ先端部）
３５  フック
４１、４２、４３、４４、４５、４６  固定具
４７  連結具（固定具）
５１  磁石片(磁石)
５２  ビニールテープ
５３  接着剤
５５  紐
５７  支持体
６１ａ、６１ｂ  磁石片
６２  ヒンジ
６５  貫通孔
６７  固定ねじ
７１  プラスチック磁石
７２  両面テープ
８１、８４  支持体
８５  塑性材
８６  袋
８７  磁石片
２０１  作業員
２０２、２０３  手
２０５  足
３０１  電柱
３０２  足場ボルト
３０３  装柱バンド
【図１】
0006751509.tif 000002
【図２】
0006751509.tif 000003
【図３】
0006751509.tif 000004
【図４】
0006751509.tif 000005
【図５】
0006751509.tif 000006
【図６】
0006751509.tif 000007
【図７】
0006751509.tif 000008
【図８】
0006751509.tif 000009
【図９】
0006751509.tif 000010
【図１０】
0006751509.tif 000011
【図１１】
0006751509.tif 000012